(57)【要約】【課題】有害な微生物や細菌等を駆除し、田畑を活性化させるために行なう熱湯散布を、やけど等の危険を防止して安全に操作出来るようにする。【解決手段】高温化された温水を送水するための管状部材即ちホース６の外周部に示温塗料でもってマーク７を形成し、該マーク７の色表示によって、前記ホース６の外周部の温度を確認可能とする。【選択図】　　　　　　図２
2004113227.tif 000002
【特許請求の範囲】
【請求項１】
高温化された温水を送水するための管状部材であって、該管状部材の外周部に示温塗料でもってマークを形成し、該マークの色表示によって、前記管状部材の外周部の温度を確認するようにしたことを特徴とする高温水送水ホース。
【請求項２】
管状部材の外周部に形成したマークが一定のピッチで設けられていることを特徴とする請求項１記載の高温水送水ホース。
【請求項３】
ボイラーによって高温化した温水を配管を介して送水ポンプによって送水するようにし、送水された温水を分岐管によって分流し、分流した温水を受けいれる管状部材であって、該管状部材の後端部をめくら状に閉鎖すると共に外周部に複数の吹き出し口を貫設して、該吹き出し口から前記高温化した温水を噴射するようにしたことを特徴とする請求項１及び請求項２記載の高温水送水ホース。
【発明の詳細な説明】
【０００１】
【発明の属する技術分野】
本発明は、高温水を送水する場合に有効なホース特に農地を活性化する場合に使用するホースに関するものである。
【０００２】
【従来技術】
従来より、環境問題は世界的に大きな課題となっている。オゾン層の破壊、自動車の排ガス、有害物質の垂れ流し、生ゴミ処理等々対策が必要な問題は枚挙にいとまがない。然し、その対策は遅々として進まないのが現状である。更に、近年、食品衛生に関する問題が大きくクローズアップされていて、特に農薬使用については、穀物や野菜は勿論のこと、その影響は計り知れないものがある。こうした背景から我が国では、法改正により、田畑への農薬散布が禁止されることになった。田畑は無数の微生物や細菌そして虫等と共生しており、共生することで肥沃な土地となるということもあるのであるが、作物にとって全ての微生物や細菌等が有益であるとは限らない。従って、必要に応じて農薬等を散布して、害を与える微生物や細菌等を駆除し、田畑を活性化させないと良い作物を育成することが出来なくなる。こうした状況下必然的に農薬に代わる田畑活性化方法が必要となり、その手段の一つとして、熱湯を散布するという方法が考えられている。
【０００３】
【発明が解決しようとする課題】
熱湯を散布するという方法は、農薬使用と比較すると効果の持続性という点でやや難があるが、田畑や作物に与える有害性は非常に少なく、全く無いといってもよい位で、極めてクリーンな方法である。然し、取扱いを誤るとやけどをする等危険であり、対応が望まれていた。
【０００４】
本発明の目的は、有害な微生物や細菌等を駆除し、田畑を活性化させるために行なう熱湯散布というクリーンで有効な方法を、安全に操作出来るようにする高温水送水ホースを提供することである。
【課題を解決するための手段】
【０００５】
上記目的を達成するために、請求項１記載の発明は、高温化された温水を送水するための管状部材の外周部に示温塗料でもってマークを形成し、該マークの色表示によって、前記管状部材の外周部の温度を確認するようにしたものである。
この様に構成したことにより、管状部材の外周部の温度が簡単に目で確認出来るので、やけど等の危険を未然に防止することが可能となる。
【０００６】
請求項２記載の発明は、管状部材の外周部に形成したマークを一定のピッチで設けたものである。この様に構成したことにより、簡易測長が出来るようになって、目視でホースの長さが把握可能となり、更に管状部材全長に渡って温度確認が可能となり、作業の安全性を向上させることが出来る。
【０００７】
請求項３記載の発明は、ボイラーによって高温化した温水を配管を介して送水ポンプによって送水するようにし、送水された温水を分岐管によって分流し、分流した温水を受けいれる管状部材の後端部をめくら状に閉鎖すると共に外周部に複数の吹き出し口を貫設して、該吹き出し口から前記高温化した温水を噴射するようにしたものである。この様に構成したことにより、温水噴射システムとしても比較的簡単な構造であり、複数の吹き出し口からの噴射により、温水をまんべんなく畑に散布出来るので、田畑を活性化させるために行なう熱湯散布を効果的に且つ安全に行うことが可能となる。
【０００８】
【発明の実施の形態】
以下、本発明の実施の形態を実施例である図１〜図４に基づき詳細に説明する。図１は、本発明による高温水送水ホースの一実施例を示す概要説明図であるが、ボイラー１が配管３でもって送水ポンプ２と連通されていて、送水ポンプ２には前記配管３とは異なる側に配管４が連結され、分岐管５を介して後端部をめくら状に閉鎖した複数の管状部材としての枝管即ちホース６が連通しているのが理解できる。これによって、ボイラー１で高温化された温水が送水ポンプ２により配管４に送り込まれ、分岐管５を介して複数のホース６へ到達し、後述するように該ホース６外周部に形成した吹き出し口から噴射することになる。尚、ボイラー１及び送水ポンプ３と配管３、配管４の結合そして配管４と分岐管５更に分岐管５とホース６との連結は所定の方法で確実に行われていることは云うまでもない。更に、配管３、配管４、分岐管５そしてホース６の材質、構造は限定されるものでなく、どのようなものでも良い。例えば、それぞれを全て金属製のパイプとしても良く、あるいは全てをプラスチックやゴム製のホースとしても良い。又、金属製とプラスチックやゴム製を共用することも可能で、要は使用状況に応じて、必要な材質で且つ必要な構造のホース（あるいはパイプ）を選定すれば良いのであって、高温化された温水を送水することが出来る管状部材であれば使用可能である。
【０００９】
図２は、本発明による高温水送水ホース即ちホース６の拡大図で、詳しくは、図１に於けるホース６を部分的に取り上げて拡大したものである。７は温度を色で表示する機能を有し、ホース６外周部に印刷されたマークで、実施例ではＸＹＺ−αと表示してある。ＸＹＺには可逆性の示温塗料が使用され、しかもＸ，Ｙ，Ｚはそれぞれ反応する温度が異なるように設定されている。例えば、Ｘは４０°Ｃ、Ｙは６０°Ｃ、Ｚは８０°Ｃとした時は、ホース６内の温水により、ホース外周部の温度が８０度をオーバーするとＺが色表示され、８０度以下になると色表示は消滅する。Ｘ，Ｙに於いても同様で、ホース内に流れる温水の温度によって色表示、消滅が繰り返されることになる。マーク７に於けるαは非可逆性の示温塗料が使用されているため、設定温度以上の温度になると色表示され、その色表示は消滅することは無い。従って、ホース６の耐熱温度でもって設定しておけば、耐熱温度以上の高温水が送水されたことを履歴として残すことが出来る。
これによって、ホース６自体の耐熱劣化や破損の原因が明確になり、的確且つ迅速な対処が可能となる。
【００１０】
マーク７は一定のピッチＬで印刷されていて、簡易測長が出来るようになっているので、目視でホースの長さを把握可能であるが、そればかりでなく、ホース６全長に渡って温度確認が可能となり、安全性を向上させることが出来る。尚付言すれば、マーク７は一定のピッチでなく、必要な部分のみに印刷しても同様の効果が得られる場合もあり、使用形態によってマーク７のピッチ及びその間隔、印刷個所、印刷数そして大きさ等を考慮する必要がある。
【００１１】
それではここで、示温塗料について簡単に説明する。温度に反応して色を変える塗料は、一般に示温塗料と云われているが、基本的にはアクリルラッカーに温度により変色する顔料を調合して作られている。マーク７が、このようにして作られた示温塗料をホース６外周部に直接印刷したものであることは、既に述べた通りであるが、直接印刷するのではなく、示温塗料でもってマーク７を印刷したラベルをホース６外周部に貼付しても同様の効果を得ることが出来る。
【００１２】
続いて、図２に加え図３を参照しながら、更にホース６について説明する。ホース６の外周部１０には、一定のピッチで印刷されたマーク７の間に、そして１８０度反対側の対称位置に吹き出し口８，８が貫設されている。更に、吹き出し口８，８とは９０度位相を変え、且つ長手方向に距離をおいて吹き出し口９，９が貫設されている。換言すれば、吹き出し目８、８と吹き出し口９、９は９０度位相を変えて、ちどり状に貫設してある。これによって高温水の噴射が部分的に集中することなく、平均的に行なわれることになる。１１は高温水の通路となる内部である。
【００１３】
図４は、本発明による高温水送水ホースの使用状態を示す畑の平面図であるが、本図を参照して、その使用状態を説明する。１２は道路１５に沿って作られた農地で、該農地１２は畦道１４によって区分されて、複数の畑１３が形成されている。図４は前記畑１３の内の一つを消毒即ち熱湯散布する場合を示している。
ボイラー１で高温化された温水は配管３を通って送水ポンプ２により配管４に送り込まれ、分岐管５を介して複数の枝管即ちホース６へ到達する。この時、畑の中に配設されたホース６の後端部は、既に説明してあるように閉鎖してあるので吹き出し口８，８及び９，９から勢い良く外方へ噴射する。噴射した高温水は畑に降り注がれ、土の中の微生物や細菌そして虫等を駆除する。高温水の噴射は比較的高圧力で行なわれるので、配管４、分岐管５特にホース６は振動し、場合によっては暴れることもあって危険であるが、マーク７の色変化を注意しながら作業することで、危険を防止することが出来る。
【００１４】
尚、本発明による高温水送水ホースの思考は、田畑の活性化ばかりでなく、種々応用が可能である。例えば、温水でなく他の高温液体を送る配管の火傷防止、あるいはビニール高分子材料で被覆された電線で許容電流を超えて電流が流れた時の異常発熱状態を表示して危険を防止する場合にも応用可能である。更に付言すれば、マーク７はホース６に形成するとして説明しているが、それは、田畑を活性化させるために行なう熱湯散布という作業に於いては、畑の中に配置するホース６の位置調整等が重要となり、その為作業者がホース６に触れる頻度が多くなるからであり、又ホース６は、吹き出し口を貫設しなければならないため、高温水による熱防止例えば肉厚を厚くする等の対応が取り難いからである。従って、必要であれば配管３、４そして分岐管５に対してもマーク７を形成しても良い。
【００１５】
【発明の効果】
本発明は、以上説明したように構成されているので、以下に記載するような効果を奏する。
【００１６】
本発明による高温水送水ホースは、高温化された温水を送水するための管状部材の外周部に示温塗料でもってマークを形成し、該マークの色表示によって、前記管状部材の外周部の温度を確認するようにしたので、管状部材の外周部の温度が簡単に目で確認可能であり、作業中に於けるやけど等の危険を未然に防止することが出来る。
【００１７】
更に、本発明による高温水送水ホースは、管状部材の外周部に形成したマークを一定のピッチで設けたので、簡易測長が出来るようになって、目視でホースの長さが把握可能となり、更に管状部材全長に渡って温度確認が可能となり、作業の安全性を向上させることが出来る。
【００１８】
更に、本発明による高温水送水ホースは、ボイラーによって高温化した温水を配管を介して送水ポンプによって送水するようにし、送水された温水を分岐管によって分流し、分流した温水を受けいれる管状部材の後端部をめくら状に閉鎖すると共に外周部に複数の吹き出し口を貫設して、該吹き出し口から前記高温化した温水を噴射するようにしたので、温水噴射システムとしても比較的簡単な構造であるばかりでなく複数の吹き出し口からの噴射により温水をまんべんなく畑に散布可能となり、田畑を活性化させるための熱湯散布を効果的に且つ安全に行うことが出来る。
【図面の簡単な説明】
【図１】本発明による高温水送水ホースの一実施例を示す概要説明図である。
【図２】図１に於けるホースの拡大図である。
【図３】図２のＡ−Ａ断面図である。
【図４】本発明による高温水送水ホースの使用状態を示す畑の平面図である。
【符号の説明】
１　　ボイラー
２　　送水ポンプ
３　　配管
４　　配管
５　　分岐管
６　　ホース（枝管）
７　　マーク
８　　吹き出し口
９　　吹き出し口
１０　外周部
１１　内部
１２　農地
１３　畑
１４　畦道
１５　道路
【図１】
2004113227.tif 000003
【図２】
2004113227.tif 000004
【図３】
2004113227.tif 000005
【図４】
2004113227.tif 000006